(57)【要約】 【課題】祝いの場において、そこに出席する人の席が分かるようにするとともに、その場において、新郎新婦など祝いの場の主役から出席する人々に対しメッセージを伝えることができ、また、出席した人がメッセージを残すことができる席札装置の特徴のあるバリエーションを提供する。【解決手段】この席札装置１は、祝いの場の主役の音声が記憶され、かつ、祝いの場に出席する人の音声を記憶することができる音声記憶部２１と、音声記憶部２１に記憶された音声を出力するスピーカー３２と、音声記憶部２１に記憶させるために音声を入力するマイク３３と、電源オンオフ、再生、録音の各操作のためのスイッチ部３０ａａ、３０ａｂと、電源を供給する電池３４と、を備えてなる。【選択図】図１
2009258576.tif 000002
【特許請求の範囲】
【請求項１】
祝いの場に出席する人の名前を表示する席札装置であって、
祝いの場の主役の音声が記憶され、かつ、祝いの場に出席する人の音声を記憶することができる音声記憶部と、
音声記憶部に記憶された音声を出力するスピーカーと、
音声記憶部に記憶させるために音声を入力するマイクと、
電源オンオフ、再生、録音の各操作のためのスイッチ部と、
電源を供給する電池と、
を備えてなることを特徴とする席札装置。
【請求項２】
請求項１に記載された席札装置において、
前記音声記憶部を、祝いの場に出席する人の名前を表示する席札に収容し、
前記スピーカー、前記マイク、前記スイッチ部及び前記電池を、席札立てに収容してなり、
席札が席札立てに着脱自在に結合されるものであることを特徴とする席札装置。
【請求項３】
請求項１に記載された席札装置において、
前記音声記憶部、前記スピーカー、前記マイク、前記スイッチ部及び前記電池を、一の筐体に収容してなり、筐体の裏面に祝いの場に出席する人の名前を表示したものであることを特徴とする席札装置。
【請求項４】
請求項１乃至３のいずれか一項に記載された席札装置において、
前記スイッチ部には、電源オフ、再生モードオン、録音モードオンの切り換えを機械的な移動にて行うものが含まれていることを特徴とする席札装置。
【請求項５】
請求項２に記載の席札装置を用いるものであって、
１個の席札立てと、祝いの場に出席した人の多数の席札と、を含んで構成されることを特徴とするアルバム。
【請求項６】
請求項３に記載の席札装置を用いるものであって、
祝いの場に出席した人の多数の席札装置を含んで構成されることを特徴とするアルバム。
【発明の詳細な説明】
【技術分野】
【０００１】
本発明は、結婚披露宴などの祝いの場においてそれに出席する人の席が分かるように設置される席札装置、及びその席札装置を用いたアルバムに関する。
【背景技術】
【０００２】
結婚披露宴などの祝いの場では、一般に、祝いの場に出席する人の席が分かるようテーブルの上に席札が置かれている。このような席札について、特許文献１には、新郎新婦からのメッセージや写真等の文字、音声、画像等のデータを記憶するディスクの表面に名前を表記して席札としたものが提案されている。この席札は、出席する人が記念品として持ち帰り、後でディスクを再生して内容を見たり聞いたりすることができる。
【０００３】
本願発明者は、特許文献２において、祝いの場において、そこに出席する人の席が分かるようテーブルの上に置くとともに、その場において、新郎新婦など祝いの場の主役から出席する人々に対しメッセージを伝えることができ、更に、出席した人が祝いの場の主役に対してメッセージを残すことができる席札装置を提案した。
【０００４】
また、一般に、主役が持つ祝いの記念品としては、何枚かの記念写真を貼ったアルバムがあげられる。
【０００５】
【特許文献１】実用新案登録第３０９１３３３号公報
【特許文献２】実用新案登録第３１４０７８７号公報
【発明の開示】
【発明が解決しようとする課題】
【０００６】
ところで、前述した席札装置は、祝いの場への適合性や祝いの場の主役又は出席する人の嗜好に沿うようにそれぞれ特徴のあるバリエーションや展開を揃えた方が望ましい。
【０００７】
本発明は、上記事由に鑑みてなしたもので、その目的とするところは、祝いの場において、そこに出席する人の席が分かるようにするとともに、その場において、新郎新婦など祝いの場の主役から出席する人々に対しメッセージを伝えることができ、また、出席した人が祝いの場の主役に対してメッセージを残すことができる席札装置の特徴のあるバリエーションを提供することにある。また、席札装置の展開として、祝いの場に出席した人が残したメッセージを容易に聞くことができ、そこに出席した人々に対しより理解を深めることができ、記念として長く保管することができる席札装置を用いたアルバムを提供することにある。
【課題を解決するための手段】
【０００８】
上記の課題を解決するために、請求項１に係る席札装置は、祝いの場に出席する人の名前を表示する席札装置であって、祝いの場の主役の音声が記憶され、かつ、祝いの場に出席する人の音声を記憶することができる音声記憶部と、音声記憶部に記憶された音声を出力するスピーカーと、音声記憶部に記憶させるために音声を入力するマイクと、電源オンオフ、再生、録音の各操作のためのスイッチ部と、電源を供給する電池と、を備えてなることを特徴とする。
【０００９】
請求項２に係る席札装置は、請求項１に記載された席札装置において、前記音声記憶部を、祝いの場に出席する人の名前を表示する席札に収容し、前記スピーカー、前記マイク、前記スイッチ部及び前記電池を、席札立てに収容してなり、席札が席札立てに着脱自在に結合されるものであることを特徴とする。
【００１０】
請求項３に係る席札装置は、請求項１に記載された席札装置において、前記音声記憶部、前記スピーカー、前記マイク、前記スイッチ部及び前記電池を、一の筐体に収容してなり、筐体の裏面に祝いの場に出席する人の名前を表示したものであることを特徴とする。
【００１１】
請求項４に係る席札装置は、請求項１乃至３のいずれか一項に記載された席札装置において、前記スイッチ部には、電源オフ、再生モードオン、録音モードオンの切り換えを機械的な移動にて行うものが含まれていることを特徴とする。
【００１２】
請求項５に係るアルバムは、請求項２に記載の席札装置を用いるものであって、１個の席札立てと、祝いの場に出席した人の多数の席札と、を含んで構成されることを特徴とする。
【００１３】
請求項６に係るアルバムは、請求項３に記載の席札装置を用いるものであって、祝いの場に出席した人の多数の席札装置を含んで構成されることを特徴とする。
【発明の効果】
【００１４】
本発明の席札装置によれば、そのバリエーションも含めて、祝いの場において、そこに出席する人の席が分かるようにできるとともに、席札が席札立てに着装状態のとき、席札立てを操作することにより祝いの場の主役のメッセージを聞くことができ、出席する人が祝いの場の主役に対しより理解を深めることができる。また、祝いの場に出席した人が祝いの場の主役に対してメッセージを残すことができるので、後日、主役がそこに出席した人々のメッセージを聞くことができ、そこに出席した人々に対しより理解を深めることができ、記念として長く保管することができる。また、本発明のアルバムによれば、祝いの場に出席した人が残したメッセージを容易に聞くことができ、そこに出席した人々に対しより理解を深めることができ、記念として長く保管することができる。
【発明を実施するための最良の形態】
【００１５】
以下、本発明の最良の実施形態を図面を参照しながら説明する。図１は本発明の第１の実施形態に係る席札装置１Ｘの斜視図である。この席札装置１Ｘは、祝いの場に出席する人の名前を表示する席札２と、席札２を着脱自在に装着する席札立て３と、を備えてなる。席札２は、祝いの場に出席する人の名前を表示するとともに、祝いの場の主役の音声が記憶され、かつ、祝いの場に出席する人の音声を記憶することができる音声記憶部２１を収容している。席札立て３は、音声記憶部２１に記憶された音声を出力するスピーカー３２と、音声記憶部２１に記憶させるために音声を入力するマイク３３と、電源オンオフ、再生、録音の各操作のためのスイッチ部３０ａａ、３０ａｂと、電源を供給する電池３４、３４と、を収容している。
【００１６】
図２は席札２を示すものであって、（ａ）は席札２の背面図、（ｂ）はその右側面図、（ｃ）は席札２の音声記憶部２１の背面図、（ｄ）はその右側面図、（ｅ）は席札２の電子回路基板２２の背面図、（ｆ）はその右側面図、である。
【００１７】
席札２に収容される音声記憶部２１は、電子回路基板２２とその素子搭載面を保護する基板カバー２３とが貼着されて成る。電子回路基板２２は、略長方形（例えば、約２．３ｃｍ×約４．１ｃｍ）の本体部分２２ａと、その一辺から突出したコネクタ部分２２ｂとから成る。本体部分２２ａの素子搭載面の一部には、音声を記憶する半導体などの電子部品２２ｃが搭載されている。本実施形態では、電子部品２２ｃは本体部分２２ａの略中央部に搭載されている。コネクタ部分２２ｂは、その端部に、席札立て３の電子回路と電気的接続するための端子（図示せず）を有する。基板カバー２３は、電子回路基板２２の本体部分２２ａより大きな略長方形（例えば、約２．９ｃｍ×約６．２ｃｍ）であり、電子回路基板２２の本体部分２２ａが内包されるように、それより少し大きな略長方形の第１の突出部２３ａが形成され、略中央部に、電子回路基板２２の電子部品２２ｃを保護するように第２の突出部２３ｃ（例えば、電子回路基板２２の配線面（配線パターン形成面）から第２の突出部２３ｃの先端部までの厚さは約５．５ｍｍ）が形成されている。従って、基板カバー２３が電子回路基板２２に貼着されたものである音声記憶部２１では、基板カバー２３の第２の突出部２３ｃが電子回路基板２２の電子部品２２ｃを保護し、電子回路基板２２のコネクタ部分２２ｂは露出している。
【００１８】
席札２は、音声記憶部２１の他に、略長方形（例えば、約５．５ｃｍ×約９．１ｃｍ）の表示シート２４を有している。表示シート２４は、二つ折りになった厚紙であり、正面側に祝いの場に出席する人の名前等が、例えば、名前カードが貼り付けされたり又は接着された透明のカバーに名前カードが挿入されたりして、表示される。また、背面側には二つ折りの折り部２４ａに接して切抜き窓部２４ｂが設けられている。席札２は、表示シート２４の二つ折りの内側に折り部２４ａに接するように音声記憶部２１を挟んで、音声記憶部２１の第１の突出部２３ａとコネクタ部分２２ｂが露出するようにしている。
【００１９】
図３は、席札立て３を示すものであって、（ａ）が平面図、（ｂ）が右側面図である。
【００２０】
席札立て３は、前述したように、席札２を着脱自在に装着するとともに、着装状態のときスピーカー３２から音声記憶部２１に記憶された祝いの場の主役の音声を出力し、更に、マイク３３から音声記憶部２１に出席する人の音声を記憶させるための音声を入力する。より具体的には、席札立て３は、略直方体（例えば、縦横約５．６ｃｍ×９．２ｃｍ、高さ２．１ｃｍ）の筐体３０に、以下の部材が収容されてなる。すなわち、筐体３０には、音声信号の変換などを行う電子回路等が含まれる音声制御部（図示せず）、スピーカー３２、マイク３３、電池３４、３４が内蔵され、電源オンオフ、再生、録音などの各操作のための第１及び第２のスイッチ部３０ａａ、３０ａｂと、電源オンオフ、再生、録音などの各状態を示す表示部３０ｂと、音声記憶部２１のコネクタ部分２２ｂが差し込まれる差込口３０ｃが設けられている。第１のスイッチ部３０ａａは、電源オフ、再生モードオン、録音モードオンの切り換えを、スライドスイッチのように順に機械的な移動にて行うものであり、第２のスイッチ部３０ａｂは、再生モード状態ならば再生のスタート、録音モード状態ならば録音のスタートを行うもの（例えば、ボタンスイッチ）である。なお、第２のスイッチ部３０ａｂを２個設けて、再生の操作と録音の操作を別々の第２のスイッチ部３０ａｂで行うようにすることもできる。
【００２１】
結婚披露宴のような祝いの場では、席札立て３の差込口３０ｃに席札２の音声記憶部２１のコネクタ部分２２ｂが差し込まれた状態であり、祝いの場に出席する人は、席札立て３の第１のスイッチ部３０ａａにより再生モード状態に切り換えてから、第２のスイッチ部３０ａｂを操作し、音声記憶部２１に記憶された祝いの場の主役の音声（メッセージ）をその場で聞くことができる。それにより、出席する人が祝いの場の主役に対しより理解を深めることができる。また、祝いの場の主役の音声をイヤホーンでも聞けるようにすることが望ましく、その場合には、イヤホーン差込口を設ける。
【００２２】
更に、祝いの場に出席した人は、第１のスイッチ部３０ａａにより録音モード状態に切り換えてからから、第２のスイッチ部３０ａｂを操作し、音声を音声記憶部２１に記憶させることにより祝いの場の主役に対してメッセージを残すことができる。この場合、祝いの式が終わり次第、席札２は席札立て３から取り外されて祝いの場の主役に渡され、後日、祝いの場の主役がそこに出席した人々の音声（メッセージ）を聞くことができ、祝いの場の主役がそこに出席した人々に対しより理解を深めることができ、アルバムのようにし記念として長く保管することができる。
【００２３】
図４は、本発明の第１の実施形態に係る席札装置１Ｘを用いたアルバム５Ｘを示す斜視図である。このアルバム５Ｘは、１個の席札立て３Ａと、祝いの場に出席した人の多数の席札２、２、…と、祝いの場に出席した人、すなわち多数の席札２、２、…に対応する人々の写真４、４、…により構成される。具体的には、図４に示すように、例えば出席した人の席札２とその人の写真４を台紙に並置するようにして、出席した人々の席札２、２、・・・を収納し、席札立て３Ａを音声処理装置としてその高さ方向が厚み方向にして収納したアルバムとする。そうすれば、アルバムの厚みもさほど大きくならない。音声を聞くには、所望の席札２を選択して席札立て３Ａの差し込み口３０ｃに装着し、第１のスイッチ部３０ａａを再生モード状態に切り換えて第２のスイッチ部３０ａｂを押す操作を行う。なお、席札立て３Ａの構造は、席札立て３と同じであるのでその説明は省略する。
【００２４】
次に、本発明の第２の実施形態に係る席札装置１Ｙについて説明する。図５は、この席札装置１Ｙを示すものであって、（ａ）が平面図、（ｂ）が正面図である。この席札装置１Ｙは、第１の実施形態に係る席札装置１Ｘを構成する席札２と席札立て３が、実質的に一体になったものであり、席札２と席札立て３に収容されていた各部材が一の筐体６０に収容されている。祝いの場に出席する人の名前は筐体６０の裏面において、例えば、名前カードが貼り付けされたり又は接着された透明のカバーに名前カードが挿入されたりして、表示される。
【００２５】
席札装置１Ｙは、肉薄の略直方体（例えば、縦横約９．２ｃｍ×５．６ｃｍ、厚さ０．５ｃｍ）の筐体６０に、祝いの場の主役の音声が記憶され、更に祝いの場に出席する人の音声を記憶することができる音声記憶部６１と、音声記憶部６１に記憶された音声を出力するスピーカー６２と、音声記憶部６１に音声を記憶させるための音声を入力するマイク６３と、席札装置１Ｙの電源となる電池６４と、が収容されている。音声記憶部６１は、音声を記憶する半導体などの電子部品等からなり、音声信号の変換などを行う電子回路とともに電子回路基板６５に形成されている。
【００２６】
また、席札装置１Ｙの筐体６０には、電源オンオフ、再生、録音の各操作のための第１及び第２のスイッチ部６０ａａ、６０ａｂと、電源オンオフ、再生、録音などの各状態を示す表示部６０ｂが設けられている。第１及び第２のスイッチ部６０ａａ、６０ａｂは、第１の実施形態の第１及び第２のスイッチ部３０ａａ、３０ａｂと同様のものである。
【００２７】
席札装置１Ｙは、結婚披露宴のような祝いの場において、他のものに寄りかかって又は席札装置１Ｙの下端部が嵌まり込むような凹部を有する台座を用いて、裏面に表示された出席する人の名前が視認し易いようにテーブルの上に置かれる。祝いの場に出席した人は、表裏をひっくり返し、第１のスイッチ部６０ａａにより再生モード状態に切り換えてから、第２のスイッチ部６０ａｂを操作し、音声記憶部６１に記憶された祝いの場の主役の音声（メッセージ）をその場で聞くことができる。それにより、出席する人が祝いの場の主役に対しより理解を深めることができる。また、祝いの場の主役の音声をイヤホーンでも聞けるようにすることが望ましく、その場合には、イヤホーン差込口を設ける。
【００２８】
更に、祝いの場に出席した人は、第１のスイッチ部６０ａａにより録音モード状態に切り換えてから、第２のスイッチ部６０ａｂを操作し、音声を音声記憶部６１に記憶してメッセージを残すことができる。祝いの式が終わり次第、席札装置１Ｙは祝いの場の主役に渡され、後日、祝いの場の主役がそこに出席した人々の音声（メッセージ）を聞くことができ、祝いの場の主役がそこに出席した人々に対しより理解を深めることができ、アルバムのようにし記念として長く保管することができる。
【００２９】
ここで、席札装置１Ｙは、アルバムなどに保管され易いようにするため、薄型である。そのため、席上の安定性は席札装置１Ｘよりも劣り、倒れたり落ちたりもし易い。席札装置１Ｙは、第１のスイッチ部６０ａａが、電源オフ、再生モードオン、録音モードオンの切り換えを順に機械的な移動にて行うものであるのであるので、電源オフ状態にしておけば、誤って録音モード状態になる場合はほとんどなく、音声記憶部６１に記憶されたメッセージが雑音に上書きされることが防止される。
【００３０】
このように、電源オフ、再生モードオン、録音モードオンの切り換えを順に機械的な移動にて行うものである第１のスイッチ部６０ａａは、上書き防止手段となっているが、その他の方式の上書き防止手段も併せて或いは独立に用いることが可能である。例えば、少なくとも第２のスイッチ部６０ａｂを覆い得る上書き防止用カバーを用意して、祝いの場に出席した人がメッセージを録音した後に上書き防止用カバーで第２のスイッチ部６０ａｂを覆うようにすることでも可能である。或いは、第１のスイッチ部６０ａａから電子回路基板６５までの間の録音モードオンの信号線の途中に機械的なスイッチを設けるとともに、一部が筐体６０に形成された孔から露出する上書き防止用フィルムを設け、上書き防止用フィルムの厚みにより接続状態になっていたこのスイッチが、上書き防止用フィルムが引き抜かれることで、非接続状態になるようにすることも可能である。
【００３１】
図６は本発明の第２の実施形態に係る席札装置１Ｙを用いたアルバム５Ｙを示す斜視図である。このアルバム５Ｙは、祝いの場に出席した人の多数の席札装置１Ｙ、１Ｙ、…と、祝いの場に出席した人、すなわち多数の席札装置１Ｙ、１Ｙ、…に対応する人々の写真４、４、…により構成される。具体的には、図６に示すように、出席した人の席札装置１Ｙを台紙に接着された透明のカバーに挿入し、その人に係わる写真４を並べて貼着するようにする。
【００３２】
以上、本発明の実施形態に係る席札装置及びそれを用いたアルバムについて説明したが、本発明は、実施形態に記載したものに限られることなく、特許請求の範囲に記載した事項の範囲内でのさまざまな設計変更が可能である。例えば、席札装置１Ｘ、１Ｙ及びアルバム５Ｘ、５Ｙは、勲章などの受賞祝賀会や、定年退職者の慰労会など、種々のお祝いの場について使用することができる。
【図面の簡単な説明】
【００３３】
【図１】本発明の第１の実施形態に係る席札装置の斜視図である。
【図２】同上の席札を示すものであって、（ａ）は席札の背面図、（ｂ）はその右側面図、（ｃ）は席札の音声記憶部の背面図、（ｄ）はその右側面図、（ｅ）は席札の電子回路基板の背面図、（ｆ）はその右側面図、である。
【図３】同上の席札立てを示すものであって、（ａ）が平面図、（ｂ）が右側面図である。
【図４】同上の席札装置を用いたアルバムの斜視図である。
【図５】本発明の第２の実施形態に係る席札装置を示すものであって、（ａ）が平面図、（ｂ）が正面図である。
【図６】同上の席札装置を用いたアルバムの斜視図である。
【符号の説明】
【００３４】
１Ｘ、１Ｙ  席札装置
２    席札装置１Ｘの席札
２１、６１  音声記憶部
３    席札装置１Ｘの席札立て
３０ａａ、６０ａａ  第１のスイッチ部
３０ａｂ、６０ａｂ  第２のスイッチ部
３２、６２  スピーカー
３３、６３  マイク
３４、６４  電池
３Ａ  席札立て（音声処理装置）
４    写真
５Ｘ、５Ｙ  アルバム
【図１】
2009258576.tif 000003
【図２】
2009258576.tif 000004
【図３】
2009258576.tif 000005
【図４】
2009258576.tif 000006
【図５】
2009258576.tif 000007
【図６】
2009258576.tif 000008